(57)【要約】【課題】安全且つ容易に作業することを可能にする電装品モジュール、及びこれを備えた空気調和装置の室外機を提供することを課題とする。【解決手段】本発明は、冷媒回路１８を制御可能な電装品モジュール３５、及びこの電装品モジュール３５を備えた空気調和装置１０の室外機１１であって、少なくともパワー素子５６ａが配設されるモジュール本体４４と、モジュール本体４４の一部を覆うカバー部４６とを備え、このカバー部４６は、パワー素子５６ａに熱的に接続されて冷媒回路１８の冷媒によりパワー素子５６ａを冷却するための冷却部材３７を収納可能な空間を形成するように当該モジュール本体４４を覆う閉位置Ｐ２と、この空間が開放された状態の開位置Ｐ１との間で位置の切り換えが可能となるようにモジュール本体４４に保持されることを特徴とする。【選択図】図７
2010175227.tif 000002
【特許請求の範囲】
【請求項１】
冷媒回路（１８）の冷媒が流通する流路が熱的に接続される冷却部材（３７）を有する空気調和装置（１０）に設けられると共に前記冷媒回路（１８）を制御可能な電装品モジュール（３５）であって、
少なくともパワー素子（５６ａ）が配設されるモジュール本体（４４）と、
前記モジュール本体（４４）の一部を覆うカバー部（４６）とを備え、
このカバー部（４６）は、前記パワー素子（５６ａ）に熱的に接続されて前記冷媒回路（１８）の冷媒により当該パワー素子（５６ａ）を冷却するための前記冷却部材（３７）を収納可能な空間を形成するように当該モジュール本体（４４）を覆う閉位置（Ｐ２）と、この空間が開放された状態の開位置（Ｐ１）との間で位置の切り換えが可能となるように前記モジュール本体（４４）に保持されることを特徴とする電装品モジュール。
【請求項２】
前記モジュール本体（４４）には前記カバー部（４６）を支持する支持部（Ｓ）が設けられ、
前記カバー部（４６）は、前記支持部（Ｓ）を介して回動可能に前記モジュール本体（４４）に保持されることを特徴とする請求項１に記載の電装品モジュール。
【請求項３】
前記カバー部（４６）は、上端部又は一方の側部を回転中心にして回動可能に前記モジュール本体（４４）に取り付けられることを特徴とする請求項２に記載の電装品モジュール。
【請求項４】
前記カバー部（４６）は、前記閉位置（Ｐ２）のときに前記モジュール本体（４４）と当接して当該モジュール本体（４４）と当該カバー部（４６）との間隔を保持する間隔保持部（４６ｂ，４６ｃ）が設けられることを特徴とする請求項１乃至３の何れか１項に記載の電装品モジュール。
【請求項５】
前記カバー部（４６）は、前記モジュール本体（４４）の下部側に取り付けられ、
前記モジュール本体（４４）の上端部から突出する位置に把持部が設けられることを特徴とする請求項１乃至４の何れか１項に記載の電装品モジュール。
【請求項６】
前記カバー部（４６）に把持部が設けられていることを特徴とする請求項１乃至５の何れか１項に記載の電装品モジュール。
【請求項７】
前記カバー部（４６）を前記開位置（Ｐ１）又は前記閉位置（Ｐ２）の少なくとも一方の位置に維持する維持手段（１４７，１５２）を備えることを特徴とする請求項１乃至６の何れか１項に記載の電装品モジュール。
【請求項８】
前記維持手段（１４７，１５２）は、前記カバー部（４６）に設けられる突起部（１４７）と、前記モジュール本体（４４）に設けられ、前記カバー部（４６）が開位置（Ｐ１）のとき又は閉位置（Ｐ２）のときの少なくとも一方の位置において前記突起部（１４７）が嵌合する凹部（１５２）又は切り欠き部とを有することを特徴とする請求項７に記載の電装品モジュール。
【請求項９】
前記カバー部（４６）には、当該電装品モジュール（３５）に配設される電装品（５６）が取り付けられることを特徴とする請求項１乃至８の何れか１項に記載の電装品モジュール。
【請求項１０】
前記カバー部（４６）は、端子（ｔ）が取り付けられる端子台として構成されることを特徴とする請求項９に記載の電装品モジュール。
【請求項１１】
冷媒回路（１８）の一部を有する空気調和装置（１０）の室外機（１１）であって、
請求項１乃至８の何れか１項に記載の電装品モジュール（３５）と、
前記冷媒回路（１８）を循環する冷媒が流通する流路が熱的に接続されると共に前記電装品モジュール（３５）に固定されることにより前記パワー素子（５６ａ）に熱的に接続される冷却部材（３７）とを備えることを特徴とする空気調和装置の室外機。
【請求項１２】
前記冷却部材（３７）と前記電装品モジュール（３５）とは、当該室外機（１１）を外側からみたときに、前記冷却部材（３７）が手前側に位置し、その奥側に前記電装品モジュール（３５）のモジュール本体（４４）が位置するようにそれぞれ配置されることを特徴とする請求項１１に記載の空気調和装置の室外機。
【請求項１３】
前記電装品モジュール（３５）のカバー部（４６）は、前記閉位置（Ｐ２）において、前記冷却部材（３７）への冷媒の流路（１８ｂ）を残して前記モジュール本体（４４）と共に前記冷却部材（３７）の全体を囲うような形状であることを特徴とする請求項１１又は１２に記載の空気調和装置の室外機。
【発明の詳細な説明】
【技術分野】
【０００１】
本発明は、冷媒が循環して蒸気圧縮式の冷凍サイクルを行う空気調和装置の室外機、及びこの室外機に配設される電装品モジュールに関する。
【背景技術】
【０００２】
従来、冷媒が循環して蒸気圧縮式の冷凍サイクルを行う空気調和装置として特許文献１に記載のものが知られている。この空気調和装置は、図１４乃至図１５（ｂ）に示されるように、冷媒が循環して冷凍サイクルが行われる冷媒回路１００と、この冷媒回路１００の一部を構成する圧縮機１０２と、この圧縮機１０２を駆動するための電動機（図示省略）と、この電動機の運転を制御するインバータ回路等の電気回路１０４（図１５（ａ）参照）とを備える。
【０００３】
この空気調和装置では、インバータ回路１０４には高熱を発するパワー素子（ジャイアントトランジスタ）１０６が用いられ、このパワー素子１０６を冷却するために、冷媒回路１００を流れる冷媒が用いられる。具体的には、冷媒回路１００を循環する冷媒が流れる冷媒通路１０８ａを冷却部材（ヒートシンク）１０８に設け、この冷却部材１０８をパワー素子１０６等の電装品が配設された電装品モジュール（スイッチボックス）１１０に固定することにより、パワー素子１０６を冷却する。
【先行技術文献】
【特許文献】
【０００４】
【特許文献１】特開昭６２−６９０６６号公報
【発明の概要】
【発明が解決しようとする課題】
【０００５】
このような空気調和装置において、一般には圧縮機１０２が室外機内に配設されるため、電装品モジュール１１０も室外機内に配設される。このような室外機においては、パワー素子１０６が高温を発するため、電装品モジュール１１０やその周辺の部材のメンテナンスや修理等の作業を行うときに、電装品モジュール１１０の発熱部（パワー素子１０６やこのパワー素子１０６の発する熱が伝わり高温となる部位）に作業者等が直接触れると危険である。
【０００６】
そのため、電装品モジュール１１０の前記発熱部に作業者等が直接触れるのを防ぐための囲いを設けることが考えられるが、このような囲いを設けると電装品モジュール１１０の当該部位への冷却部材の固定及び取り外し、また、室外機への配設後の電装品モジュール１１０に固定された冷却部材及びその周囲のメンテナンスや修理等の作業において、前記囲いが妨げとなり作業が困難となる。
【０００７】
そこで、本発明は、上記問題点に鑑み、安全且つ容易に作業することを可能にする電装品モジュール、及びこれを備えた空気調和装置の室外機を提供することを課題とする。
【課題を解決するための手段】
【０００８】
そこで、上記課題を解消すべく、本発明は、冷媒回路の冷媒が流通する流路が熱的に接続される冷却部材を有する空気調和装置に設けられると共に前記冷媒回路を制御可能な電装品モジュールであって、少なくともパワー素子が配設されるモジュール本体と、前記モジュール本体の一部を覆うカバー部とを備え、このカバー部は、前記パワー素子に熱的に接続されて前記冷媒回路の冷媒により当該パワー素子を冷却するための前記冷却部材を収納可能な空間を形成するように当該モジュール本体を覆う閉位置と、この空間が開放された状態の開位置との間で位置の切り換えが可能となるように前記モジュール本体に保持されることを特徴とする。
【０００９】
かかる構成によれば、電装品モジュールにおいて、高温となるパワー素子の発する熱が伝わり高温となる部位を閉位置のカバー部が冷却部材の収納可能な空間を形成するように覆うため、前記高温となる部位を作業者等が触れ難くなり、安全に作業を行うことができる。しかも、カバー部を開位置に切り換えることにより、冷却部材を収納可能な空間が開放されるため、当該電装品モジュールが空気調和装置の室外機に組み込まれて冷却部材が前記空間内に位置しても当該冷却部材に対して外部からの作業が可能となる。そのため、冷却部材をモジュール本体に対して固定又は取り外す際やメンテナンス等の作業が行い易くなる。
【００１０】
本発明において、前記モジュール本体には前記カバー部を支持する支持部が設けられ、
前記カバー部は、前記支持部を介して回動可能に前記モジュール本体に保持される構成であってもよい。
【００１１】
このように回動可能にカバー部がモジュール本体に保持されることにより、カバー部を回動させるだけで、当該カバー部の位置の切り換えを容易に行うことができる。
【００１２】
また、カバー部が回動可能にモジュール本体に保持される場合、前記カバー部は、上端部又は一方の側部を回転中心にして回動可能に前記モジュール本体に取り付けられる構成が好ましい。
【００１３】
かかる構成によれば、上端部又は一方の側部を回転中心にしてカバー部を回動させて開位置に移動させることにより、前記収納可能な空間内に冷却部材を位置させるためにモジュール本体を冷却部材の上方側から下方に向かって移動させるときに当該カバー部が邪魔にならない。
【００１４】
また、前記カバー部は、前記閉位置のときに前記モジュール本体と当接して当該モジュール本体と当該カバー部との間隔を保持する間隔保持部が設けられる構成が好ましい。
【００１５】
かかる構成によれば、カバー部が閉位置に切り換えられたときに、間隔保持片がモジュール本体部と当接することによりカバー部とモジュール本体との間に冷却部材を収納できる間隔が保持される。これにより前記カバー部が形成する空間内に冷却部材が収納されたときにカバー部が当接して冷媒ジャケットが損傷することを防止することができる。
【００１６】
前記電装品モジュールにおいて、前記カバー部は、前記モジュール本体の下部側に取り付けられ、前記モジュール本体の上端部から突出する位置に把持部が設けられる構成が好ましい。
【００１７】
かかる構成によれば、モジュール本体から突出した状態のカバー部と把持部とを把持することで、モジュール本体に配設された電装品に触れることなく電装品モジュールを保持することができる。しかも、電装品モジュールを上下に離れた位置で把持することができるため、当該電装品モジュールを安定して保持することができる。その結果、電装品モジュールの室外機内への取り付けや取り外しの際に、作業が行い易くなると共に作業者等が電装品に触れることによる電装品の損傷等を防止することができる。
【００１８】
また、カバー部に把持部が設けられている構成が好ましい。
【００１９】
かかる構成によれば、カバー部が把持し易くなるため、電装品モジュールをより安定して保持することができる。
【００２０】
また、前記電装品モジュールにおいて、前記カバー部を前記開位置又は前記閉位置の少なくとも一方の位置に維持する維持手段を備える構成が好ましい。
【００２１】
このような維持手段を備えることによって、カバー部が開位置に維持される場合には、モジュール本体への冷却部材の固定又は取り外しやメンテナンス等の作業がより行い易くなる一方、カバー部が閉位置に維持される場合には、当該電装品モジュールを室外機に配設したときに、当該室外機の運転時の振動等によってカバー部が振動するのを防止することができる。
【００２２】
具体的には、前記維持手段は、前記カバー部に設けられる突起部と、前記モジュール本体に設けられ、前記カバー部が開位置のとき又は閉位置のときの少なくとも一方の位置において前記突起部が嵌合する凹部又は切り欠き部とを有する構成であってもよい。
【００２３】
かかる構成によれば、維持手段を突起部と凹部又は切欠き部といった簡単な構成とすることができる。
【００２４】
前記カバー部には、当該電装品モジュールに配設される電装品が取り付けられる構成が好ましい。
【００２５】
かかる構成によれば、閉位置においてカバー部がモジュール本体を覆う、即ち、カバー部がモジュール本体と前後に重なるような位置関係となるようにモジュール本体に保持され、このカバー部に前記電装品が取り付けられるため、前記電装品がモジュール本体の上下又は左右位置に取り付けられるよりも電装品モジュールの大きさをコンパクトにすることができる。
【００２６】
前記カバー部は、端子が取り付けられる端子台として構成されるのが好ましい。
【００２７】
このように電装品モジュールに配設される電装品のうち、大きな部品である端子をカバー部に取り付けることにより、電装品モジュールの大きさをよりコンパクトにすることができる。
【００２８】
また、上記課題を解消すべく、本発明は、冷媒回路の一部を有する空気調和装置の室外機であって、前記の電装品モジュールと、前記冷媒回路を循環する冷媒が流通する流路が熱的に接続されると共に前記電装品モジュールに固定されることにより前記パワー素子に熱的に接続される冷却部材とを備えることを特徴とする。
【００２９】
かかる構成によれば、電装品モジュールにおいて高温となるパワー素子の発する熱が伝わり高温となる部位を閉位置のカバー部が冷却部材の収納可能な空間を形成するように覆うため、室外機のメンテナンスや修理等のために作業者が作業する際に、当該室外機に組み込まれた電装品モジュールの前記高温となる部位を触れ難くなり、安全に作業を行うことができる。しかも、カバー部を開位置に切り換えることにより、冷却部材を収納可能な空間が開放されるため、当該室外機に組み込まれた電装品モジュールの前記空間内に位置する冷却部材に対して外部からの作業が可能となる。そのため、当該冷却部材をモジュール本体に対して固定又は取り外す際やメンテナンス等の作業が行い易い。
【００３０】
本発明において、前記冷却部材と前記電装品モジュールとは、当該室外機を外側からみたときに、前記冷却部材が手前側に位置し、その奥側に前記電装品モジュールのモジュール本体が位置するようにそれぞれ配置される構成が好ましい。
【００３１】
かかる構成によれば、当該室外機において高温となる部位が冷却部材の奥側に位置するため、前記作業者等が高温の部位に直接触れ難くなり、より安全に作業を行うことができる。
【００３２】
また、前記電装品モジュールのカバー部は、前記閉位置において、前記冷却部材への冷媒の流路を残して前記モジュール本体と共に前記冷却部材の全体を囲うような形状である構成が好ましい。
【００３３】
かかる構成によれば、カバー部が閉位置に切り換えられると冷却部材がその周囲を当該カバー部とモジュール本体とによって囲まれるため、室外機内での作業中に作業者や工具等が冷却部材に触れ若しくは当接することをより確実に防止することができる。
【発明の効果】
【００３４】
以上より、本発明によれば、安全且つ容易に作業することを可能にする電装品モジュール、及びこれを備えた空気調和装置の室外機を提供することができる。
【図面の簡単な説明】
【００３５】
【図１】本実施形態に係る空気調和装置の配管系統を概略的に示す図である。
【図２】前記空気調和装置の室外機の正面図であり、この図は機械室を露出させた状態で表している。
【図３】図２と同じ状態で表した前記室外機の側面図である。
【図４】前記室外機のケーシング内の構成を示す平面図である。
【図５】前記室外機に設けられる電装品モジュールの背面側からの斜視図である。
【図６】図５の電装品モジュールの背面保護カバーを取り外した状態を示す図である。
【図７】前記室外機に設けられる電装品モジュールの前面下方側からの斜視図であり、この図は端子台が開位置の状態で表している。
【図８】図７の電装品モジュールの前面上方側からの斜視図である。
【図９】前記室外機に設けられる電装品モジュールの前面上方側からの斜視図であり、この図は端子台が閉位置の状態で表している。
【図１０】第１基板部に実装されたパワー素子と伝熱板との接続状態を概略的に示す図である。
【図１１】前記室外機に電装品モジュールを配設する手順を示す図であり、この図は、端子台が開位置の状態の電装品モジュールを冷媒ジャケットの奥側に差し込むように降下させる前の図である。
【図１２】図１１の電装品モジュールを降下させて冷媒ジャケットの奥側に配置した状態の図である。
【図１３】図１２に電装品モジュールの端子台を閉位置に回動させた状態の図である。
【図１４】従来の空気調和装置の配管系統を概略的に示す図である。
【図１５】（ａ）は前記空気調和記の室外機に配設される電装品モジュールの断面平面図であり、（ｂ）は前記電装品モジュールの斜視図である。
【発明を実施するための形態】
【００３６】
以下、本発明の一実施形態について、添付図面を参照しつつ説明する。
【００３７】
図１は、本実施形態に係る空気調和装置１０の配管系統を示している。この空気調和装置１０は、冷房運転と暖房運転とが可能なヒートポンプ式の空気調和装置１０である。図１に示すように、空気調和装置１０は、室外に設置される室外機１１と、室内に設置される室内機１２とを備えている。室外機１１と室内機１２とは、第１接続配管１３及び第２接続配管１４を介して接続されている。空気調和装置１０には、これら接続配管１３，１４を含む配管が閉回路状に接続された冷媒回路１８が設けられている。冷媒回路１８には、主として、室内熱交換器２０、圧縮機２３、油分離器２４、室外熱交換器２５、膨張機構である膨張弁２６、アキュムレータ２７、四方切換弁２８が設けられている。冷媒回路１８では、冷媒が循環することにより、蒸気圧縮式の冷凍サイクルが行われる。
【００３８】
室内熱交換器２０は、冷媒を室内空気と熱交換させるための熱交換器であり、室内機１２に設けられている。室内熱交換器２０として、例えばクロスフィン型のフィン・アンド・チューブ熱交換器等を採用することできる。室内熱交換器２０の近傍には、室内空気を室内熱交換器２０へ送風するための室内ファン（図示省略）が設けられている。
【００３９】
圧縮機２３、油分離器２４、室外熱交換器２５、膨張弁２６、アキュムレータ２７、四方切換弁２８は、室外機１１に設けられている。これらは、何れもケーシング３０（図２〜図４参照）内に収容されている。
【００４０】
圧縮機２３は、吸入ポート、圧縮機構及び吐出ポートを有し、吸入ポートから吸入した冷媒を圧縮機構で圧縮して、吐出ポートから吐出する。圧縮機２３としては、例えば、スクロール圧縮機等の種々の圧縮機を採用することができる。
【００４１】
油分離器２４は、圧縮機２３から吐出された潤滑油及び冷媒の混合流体から潤滑油を分離するためのものである。分離された冷媒は四方切換弁２８へ送られ、潤滑油は圧縮機２３に戻される。
【００４２】
室外熱交換器２５は、冷媒を室外空気と熱交換させるためのものであり、例えばクロスフィン型のフィン・アンド・チューブ熱交換器等を採用できる。室外熱交換器２５の近傍には、室外空気を室外熱交換器２５へ送風するための室外ファン３１が設けられている。
【００４３】
膨張弁２６は、冷媒回路１８において室外熱交換器２５と室内熱交換器２０との間に配設され、流入した冷媒を膨張させて、所定の圧力に減圧させる。膨張弁２６として、例えば開度可変の電子膨張弁２６を採用することができる。
【００４４】
アキュムレータ２７は、流入した冷媒を気液分離するものであり、冷媒回路１８において圧縮機２３の吸入ポートと四方切換弁２８との間に配設されている。アキュムレータ２７で分離されたガス冷媒は、圧縮機２３に吸入される。
【００４５】
四方切換弁２８には、第１〜第４の４つのポートが設けられている。四方切換弁２８は、第１ポートと第３ポートとを連通すると同時に第２ポートと第４ポートとを連通する第１状態（図１において実線で示す状態）と、第１ポートと第４ポートとを連通すると同時に第２ポートと第３ポートとを連通する第２状態（図１において破線で示す状態）とに切換可能となっている。第１ポートは、油分離器２４を介して圧縮機２３の吐出ポートに接続され、また第２ポートは、アキュムレータ２７を介して圧縮機２３の吸入ポートに接続され、また第３ポートは、室外熱交換器２５に接続され、また第４ポートは、第１接続配管１３を介して室内熱交換器２０に接続されている。空気調和装置１０が冷房運転を行うときには、四方切換弁２８は第１状態に切り換えられ、暖房運転を行うときには、四方切換弁２８は第２状態に切り換えられる。
【００４６】
冷媒回路１８の液側配管には、電装品モジュール３５の発熱部を冷却するための冷却部材である冷媒ジャケット３７が接合されている。図例では、冷媒ジャケット３７が接合される液側配管は、冷媒回路１８における室外熱交換器２５と膨張弁２６との間の液側配管となっているが、冷媒ジャケット３７が接合される冷媒配管は、これに限られない。ただし、冷却能力を考慮すれば、冷媒ジャケット３７は、液側配管に接合されるのが好ましい。
【００４７】
冷媒ジャケット３７に接合された配管には、冷房運転時には、室外熱交換器２５で凝縮した冷媒が流れ、暖房運転時には、室内熱交換器２０で凝縮し、膨張弁２６で減圧された冷媒が流れる。これらの冷媒の温度は、運転条件等によって異なるが、例えば冷房運転時で４０〜４５℃程度である。
【００４８】
冷媒ジャケット３７は、扁平状に形成されていて、電装品モジュール３５の所定位置に面接合可能に構成されている。電装品モジュール３５は、冷媒回路１８の動作制御を行うための電装品組立体であり、室外機１１に設けられている。電装品モジュール３５及び冷媒ジャケット３７の詳細な構成については後述する。
【００４９】
図２〜図４に示すように、室外機１１は、基台としての底板３０ａと、この底板３０ａの周縁部に立設された側板３０ｂと、側板３０ｂの上端部に設けられる天板３０ｃとを有するケーシング３０を備え、全体として略直方体形状の外観を呈している。
【００５０】
室外機１１には、ケーシング３０内の空間を２つの空間に区切る仕切り板３９が設けられている。仕切り板３９は、ケーシング内空間の下端部から上端部に亘る大きさを有していて、ケーシング３０の底板３０ａに立設されるように設けられている。この仕切り板３９により、ケーシング内空間は、室外熱交換器２５及び室外ファン３１が収容される熱交換室４０と、圧縮機２３、電装品モジュール３５等が収容される機械室４１とに仕切られている。熱交換室４０は、前面から見たときの左側に位置し、機械室４１は、前面から見たときの右側に位置している。なお、ケーシング３０の前面には、熱交換室４０に取り入れられた室外空気をケーシングの外に吹き出すための吹き出し口が開口している。
【００５１】
室外熱交換器２５は、ケーシング３０の底板３０ａ上に設置されており、熱交換室４０の下端部から上端部に亘る大きさを有する。そして、室外熱交換器２５は、平面視でＬ字形に形成されており、背面側の側板３０ｂ及び左側の側板３０ｂに沿うように配設されている。室外熱交換器２５の端部には、仕切り板３９の後端部が結合されており、仕切り板３９の前端部は、前面側のケーシング側板３０ｂに結合されている。
【００５２】
機械室４１は、ケーシング内空間の右側部において、図３及び図４に示すように、前後方向の全体を占めるように形成されている。そして、機械室４１内における前面側に電装品モジュール３５が配設されている。すなわち、電装品モジュール３５は、その前面がケーシング３０の前面側の側板３０ｂにおよそ平行になる姿勢で、側板３０ｂの近傍に設置されている。したがって、ケーシング３０の前面側板３０ｂを取り外すと、電装品モジュール３５の前面が最も手前側で露出する。電装品モジュール３５の背面側（後ろ側）には、冷媒配管、アキュムレータ２７等の冷媒回路構成要素が配設されている。
【００５３】
電装品モジュール３５は、機械室４１において高さ方向の中間部に配置されていて、電装品モジュール３５の上方及び下方は空間となっている。そして、電装品モジュール３５は、幅方向の一端部（左端部）において仕切り板３９に結合される一方、他端部（右端部）においてケーシング３０の側板３０ｂに結合されている。
【００５４】
図５〜図９に示すように、電装品モジュール３５は、保持部材（モジュール本体）４４と、回路基板４５と、端子台（カバー部）４６と、保護部材である背面保護カバー４７と、を有している。保持部材４４は、ケーシング３０の側板３０ｂ及び仕切り板３９に結合可能に構成された主部材５１と、この主部材５１に結合される樹脂製の介装部材５２と、主部材５１の上端に設けられる把持部材（板部材）５３とを備えている。
【００５５】
主部材５１は、板金からなる部材の適所に穴あけ加工を施すとともに、所定の形状になるように折り曲げ加工したものである。主部材５１は、矩形状の主面部５１ａと、この主面部５１ａの側端部から折り曲げられた側面部５１ｂと、主面部５１ａの上端部から折り曲げられた天面部５１ｃとを有する。前面からみて右側の側面部５１ｂには、係合凹部１５２（図８参照）が設けられている。この係合凹部１５２は、右側の側面部５１ｂの中間高さ位置よりもやや下方位置に設けられている。また、この右側の側面部５１ｂの背面側端部が外側に向けて主面部５１ａと平行になるように折り曲げられて被当接部１５３が形成されている。
【００５６】
介装部材５２は、主部材５１の主面部５１ａに結合されるものであり、回路基板４５の熱が主部材５１に伝わるのを抑制する。
【００５７】
把持部材５３は、その先端側が主部材５１の上端から水平面に沿って前面側に突出した板状の部材である。この把持部材５３には、先端部に上下方向に貫通する貫通孔５３ａが設けられている。この貫通孔５３ａは、把持部材５３を把持するときに作業者等が指を挿通させて当該把持部材５３を把持するのに用いられる。この把持部材５３は、前面から見て主部材５１において中央よりも左寄りに設けられている。また、先端部と左右両側の端部とがそれぞれ上方に向って折り曲げられ、立ち上がり部５３ｂが形成されている。この立ち上がり部５３ｂによって把持部材５３の強度が向上する。この把持部材５３上には、貫通孔５３ａよりも後端側にリアクター５６ｃが載置されている。
【００５８】
回路基板４５は、主部材５１の主面部５１ａにおける背面側に配設される背面側基板５４（図５及び図６参照）と、主部材５１の主面部５１ａにおける前面側に配設される前面側基板５５（図７〜図９参照）とを備えている。
【００５９】
背面側基板５４は、パワー素子５６ａ（図１０参照）及びパワー素子５６ａ以外のコンデンサ等の素子５６ｂを含む電装品５６が複数実装される第１基板部５４ａと、パワー素子５６ａ以外の素子５６ｂからなる電装品５６が複数実装される第２基板部５４ｂとを備えている。第２基板部５４ｂに実装される電装品５６としては、例えばノイズフィルタ等が挙げられる。第２基板部５４ｂは、電装品５６が背面側になるように主部材５１に固定されている。
【００６０】
第２基板部５４ｂは、主部材５１の主面部５１ａにおける上側部に結合されており、第１基板部５４ａは、第２基板部５４ｂの下側に配設されている。第１基板部５４ａは、主部材５１の主面部５１ａに結合された介装部材５２に結合されている。すなわち、第１基板部５４ａは、主部材５１に間接的に結合される一方、第２基板部５４ｂは、主部材５１に直接的に結合されている。
【００６１】
第１基板部５４ａに設けられるパワー素子５６ａとしては、例えば圧縮機制御用インバータ、ファンモータ制御用モジュール等が挙げられる。すなわち、第１基板部５４ａには、複数のパワー素子５６ａが実装されている。これらパワー素子５６ａは第１基板部５４ａの前面に実装されている。一方、第１基板部５４ａの背面には、パワー素子５６ａ以外の電装品５６が実装される。
【００６２】
前面側基板５５の前面には、パワー素子５６ａ以外の電装品５６が多数実装されている。前面側基板５５に実装される電装品には、試運転時やメンテナンス時等に作業者が操作するための電装品、制御動作状況を表示可能な電装品等が含まれている。前面側基板５５は、主部材５１の主面部５１ａにおいて、主として上側寄りに配設されている。すなわち、前面側基板５５は、主面部５１ａにおいて、後述する伝熱板６０が配設された場所とは異なるところに配設されている。
【００６３】
第１基板部５４ａに実装された複数のパワー素子５６ａの前面には、伝熱板６０が面接合されている（図１０参照）。すなわち、伝熱板６０は、これら複数のパワー素子５６ａの配設位置を包含する大きさの部材であり、例えばアルミニウム等の熱伝導性の高い材質で構成されている。
【００６４】
第１基板部５４ａは、主部材５１の主面部５１ａにおける背面に結合された介装部材５２の背面に結合されているが、主部材５１の主面部５１ａ及び介装部材５２には、伝熱板６０を挿通可能な大きさの開口部６１（図６参照）が形成されている。そして、伝熱板６０は、この開口部６１を通して主部材５１の前面側に露出している。なお、開口部６１は、図６に破線で示すようにＬ字形となっている。
【００６５】
伝熱板６０の前面には、冷媒ジャケット３７が面接合されている。冷媒ジャケット３７は、例えばボルトＢ１（図７参照）によるねじ締結により伝熱板６０に固定されている。
【００６６】
冷媒ジャケット３７は、例えばアルミニウム等の熱伝導性の高い材質で構成された厚みのある板材からなり、冷媒回路１８の冷媒配管１８ａが接合されている。すなわち、冷媒回路１８の冷媒を流通させる冷媒配管１８ａに接合される冷媒ジャケット３７が、伝熱板６０を介してパワー素子５６ａに熱的に接続されている。したがって、伝熱板６０は、パワー素子５６ａに接合されるとともに、冷媒ジャケット３７を熱的に接続可能な受け部として機能する。
【００６７】
図２及び図７に示すように、冷媒ジャケット３７は、横長の長方形状に形成されるとともに、長手方向に延びる溝（図１０参照）が形成されている。この溝は上下に２つ設けられており、互いに平行となっている。この２つの溝にＵ字状に折り曲げられた冷媒配管１８ａが圧入されることにより、冷媒ジャケット３７に冷媒配管１８ａが接合されている。冷媒ジャケット３７に固定された冷媒配管１８ａは、冷媒回路１８の冷媒を流通させる冷却用通路として機能する。尚、本実施形態では、冷媒ジャケット３７の溝に冷媒配管１８ａを固定する構成としているが、これに限られるものではない。例えば、冷媒ジャケット３７を貫通する貫通孔を２つ形成し、これらの一方に配管を接続すると共に、他方にＵ字管を接続する構成としてもよい。
【００６８】
冷媒ジャケット３７に接合される冷媒配管１８ａは、冷媒回路１８において室外熱交換器２５と膨張弁２６との間に設けられる配管（液側配管）の一部であるが、この冷媒配管１８ａは、上下方向に延びる一対の配管１８ｂの上端部につながっている。すなわち、このＵ字状に形成された冷媒配管１８ａの一端部は、上下方向に延びる一方の配管１８ｂを介して室外熱交換器２５の下端部に接続され、他端部は、上下方向に延びる他方の配管１８ｂを介して膨張弁２６に接続されている。
【００６９】
端子台４６は、開位置Ｐ１（図８参照）と閉位置Ｐ２（図９参照）との間で位置を変更可能に主部材５１に設けられている。この閉位置Ｐ２とは、端子台４６が主部材５１の主面部５１ａとの間に冷媒ジャケット３７を収納できるように主部材５１との間に所定の収納空間を形成する位置であり、開位置Ｐ１とは、端子台４６が前記所定の収納空間を開放する位置である。言い換えると、端子台４６は、冷媒ジャケット３７を収納する収納空間を開閉可能に構成されている。本実施形態では、端子台４６が回動することにより、開位置Ｐ１と閉位置Ｐ２との間で端子台４６の位置変更が行われる。
【００７０】
端子台４６は、主部材５１の主面部５１ａにおける前面において前面側基板５５の下方に設けられている。具体的に、端子台４６は、閉位置Ｐ２のときに、主部材５１の主面部５１ａに設けられた開口部６１から前面側に露出している伝熱板６０及びこの伝熱板６０に固定された冷媒ジャケット３７の前面側に位置するように設けられている。そして、端子台４６は、閉位置Ｐ２のときに伝熱板６０及びこれに固定される冷媒ジャケット３７の前面側を遮るように覆い、開位置Ｐ１のときに伝熱板６０及びこれに固定される冷媒ジャケット３７が前面側から見えるように位置変更する。電装品モジュール３５が室外機１１から取り外され、冷媒ジャケット３７が伝熱板６０に固定されていない状態では、端子台４６が開位置Ｐ１のときには伝熱板６０が前面側から見える状態となる。
【００７１】
端子台４６の前面側には、複数の端子接続部ｔが設けられている。各端子接続部ｔは、回路基板４５（背面側基板５４及び前面側基板５５）に実装される所定の電装品５６と接続されている端子を有する。この端子接続部ｔは、室外機１１に配置された圧縮機２３等の各機器と所定の電装品５６とを電気的に接続する。
【００７２】
端子台４６は、詳細には、板金からなる部材を所定の形状になるように折り曲げ加工したものであり、上端部を回転中心にして下端部を回動可能に主部材５１の主面部５１ａに保持されている。端子台４６は、矩形状の前面部４６ａと、この前面部４６ａの側端部から折り曲げられた側面部４６ｂと、前面部４６ａの下端部から折り曲げられた底面部４６ｃとを有する。これら前面部４６ａと両側面部４６ｂと底面部４６ｃとが、端子台４６が閉位置Ｐ２のときに、主部材５１の主面部５１ａ及び伝熱板６０と共に収納空間を画定する。前面から見て右側の側面部４６ｂには、端子台４６が閉位置Ｐ２のときの背面側先端部が外側に向かって折り曲げられた当接部１４６が形成されている。この当接部１４６は、端子台４６が閉位置Ｐ２のときに、主部材５１の右側の側面部５１ｂの被当接部１５３に当接する部位である。
【００７３】
前面部４６ａには、前記のように複数の端子接続部ｔが配置されている。本実施形態では前面部４６ａには端子接続部ｔが配置されているが、これに限定されず、他の電装品５６が配置されてもよく、何も配置されない状態であってもよい。
【００７４】
また、前面部４６ａには、把持部４６ｄが設けられている。この把持部４６ｄは、前面部４６ａを貫通する貫通孔によって構成されている（図７及び図８参照）。具体的には、把持部４６ｄは、端子台４６が開位置Ｐ１のときの前面部４６ａの先端部において、当該先端部に沿った横長の貫通孔により構成されている。この把持部４６ｄは、中央よりも右寄りの部位に設けられている。
【００７５】
左右の側面部４６ｂは、端子台４６が閉位置Ｐ２のときの前後方向の長さがそれぞれ異なる。前面から見て左側の側面部（左側面部）４６ｂよりも、右側の側面部（右側面部）４６ｂの方が前後方向の長さが大きくなるように形成されている。具体的に、左側面部４６ｂの前後方向の長さは、端子台４６が閉位置Ｐ２のときに当該左側面部４６ｂの先端が主面部５１ａに当接するような大きさである。また、右側面部４６ｂの前後方向の長さは、端子台４６が閉位置Ｐ２のときに当接部１４６が主部材５１における側面部５１ｂの被当接部１５３に当接する、詳細には、当接部１４６の背面と被当接部１５３の前面とが面接触するような大きさである（図９参照）。
【００７６】
右側面部４６ｂには、端子台４６の位置を開位置Ｐ１と閉位置Ｐ２とで維持するときに用いられる位置固定用凸部１４７が設けられている。この位置固定用凸部１４７は、右側面部４６ｂの内側から左側面部４６ｂに向って突出するように形成されている（図７参照）。この位置固定用凸部１４７と、主部材５１の右側の側面部５１ｂの係合凹部１５２、及び後述する板状の支持部Ｓ（図７参照）の前面側端部とにより、端子台４６を開位置Ｐ１と閉位置Ｐ２とに維持する維持手段が構成される。具体的には、位置固定用凸部１４７と係合凹部１５２とは、端子台４６が閉位置Ｐ２のときに係合凹部１５２に位置固定用凸部１４７が嵌まり込むことにより互いに嵌合するような位置（図９参照）にそれぞれ設けられている。そして、係合凹部１５２と位置固定用凸部１４７とが互いに嵌合することにより、端子台４６が閉位置Ｐ２に維持（固定）される。一方、端子台４６が開位置Ｐ１のときには、位置固定用凸部１４７が支持部Ｓの前面側端部に係止されることにより端子台４６が開位置Ｐ１に維持（固定）される（図７参照）。
【００７７】
底面部４６ｃは、端子台４６が閉位置Ｐ２のときの前後方向の長さが左側面部４６ｂと同じ大きさになるように形成されている。この底面部４６ｃの先端と左側面部４６ｂの先端とが端子台４６が閉位置Ｐ２のときに主面部５１ａに当接し、右側面部４６ｂの当接部１４６が端子台４６が閉位置Ｐ２のときに主部材５１の側面部５１ｂの被当接部１５３に当接することにより、主面部５１ａと前面部４６ａとの間隔が冷媒ジャケット３７を収納できる間隔に保持される。前面側から見たときの底面部４６ｃの右側端部と右側面部４６ｂとの間には所定の間隔が形成されている。この所定の間隔は、端子台４６が閉位置Ｐ２のときに形成される収納空間に冷媒ジャケット３７が収納されたときに、この冷媒ジャケット３７に接合されている上下方向に延びる一対の配管１８ｂが通過可能な間隔である。
【００７８】
このように構成される端子台４６は、支持部Ｓを介して主部材５１の主面部５１ａに回動可能に保持される。この支持部Ｓは、主面部５１ａから前面側に突出した部位である。具体的に、支持部Ｓは、上下方向に延び、前後方向に広がる板状の部位である。この支持部Ｓは、主面部５１ａにおいて端子台４６の両側面部４６ｂに対応する位置にそれぞれ設けられ、端子台４６を主面部５１ａに回動可能に支持する。各支持部Ｓの上端部が端子台４６の側面部４６ｂの上端部と回動可能に連結されている。詳細には、端子台４６と支持部Ｓとは、端子台４６の両側端において、左右に重なっている側面部４６ｂと支持部Ｓとの上端部同士を回動軸ボルトＢが貫通することにより回動可能に連結されている。各回動軸ボルトＢは、端子台４６の両側部において水平方向の同一直線上に位置し、これにより当該回動軸ボルトＢを回転軸として端子台４６を回動可能に支持部Ｓに連結する。このように支持部Ｓが端子台４６を支持することにより、端子台４６は、上端部を回転中心にして下端部が回動移動して開位置Ｐ１と閉位置Ｐ２との間で位置の変更が行われる。尚、端子台４６の前面部４６ａが水平若しくは略水平となる位置まで端子台４６が回動すると、前面部４６ａの上端が主面部５１ａに当接することにより、端子台４６の回動が規制される。
【００７９】
ここで、本実施形態の空気調和装置１０の運転動作について説明する。
【００８０】
この空気調和装置１０では、冷房運転を行うときは、四方切換弁２８は第１状態に切り換えられる。圧縮機２３で圧縮された冷媒は、油分離器２４で油分が分離された後、四方切換弁２８を経由して室外熱交換器２５に流入する。この冷媒は、室外熱交換器２５において室外空気と熱交換されて凝縮し、液冷媒となる。この液冷媒は、上下方向に延びる一方の配管１８ｂを上方に向かって流れた後、冷媒ジャケット３７に固定された冷媒配管１８ａを流れる。このとき、圧縮機２３、ファンモータの駆動によってパワー素子５６ａが発熱していれば、パワー素子５６ａの発熱によって伝熱板６０が加熱されているが、冷媒配管１８ａを流れる冷媒によって、この加熱された伝熱板６０が冷却される。
【００８１】
冷媒配管１８ａを流れた冷媒は、上下方向に延びるもう一方の配管１８ｂを下方に向かって流れた後、膨張弁２６で減圧されて、室内熱交換器２０に流入する。この冷媒は、室内熱交換器２０において室内空気と熱交換されて気化する。この熱交換によって室内空気は、冷却されて室内に吹き出される。室内空気によって加熱されて蒸発した冷媒は、四方切換弁２８を経由してアキュムレータ２７に流入する。アキュムレータ２７では、冷媒が気液分離され、ここで気液分離されたガス冷媒は圧縮機２３に吸入される。冷房運転時には、この冷媒循環が継続して行われる。
【００８２】
一方、暖房運転時には、四方切換弁２８は第２状態に切り換えられる。圧縮機２３から吐出された冷媒は、油分離器２４及び四方切換弁２８を経由して室内熱交換器２０に導入される。室内熱交換器２０において、冷媒は室内空気と熱交換されて凝縮する。この熱交換により、室内空気は加熱されて室内に吹き出される。室内空気によって冷却されて凝縮した冷媒は、膨張弁２６で膨張され、その後、上下方向に延びる一方の配管１８ｂを上方に向かって流れた後、冷媒ジャケット３７に固定された冷媒配管１８ａを流れる。このとき、パワー素子５６ａの発熱によって加熱された伝熱板６０を冷却する。
【００８３】
冷媒配管１８ａを流れた冷媒は、上下方向に延びるもう一方の配管１８ｂを下方に向かって流れた後、室外熱交換器２５に導入されて蒸発し、四方切換弁２８を経由してアキュムレータ２７に流入する。ここで気液分離されたガス冷媒は圧縮機２３に吸入される。暖房運転時には、この冷媒循環が継続して行われる。
【００８４】
次に、電装品モジュール３５の室外機１１への配設手順について図１１〜図１３も参照しつつ説明する。
【００８５】
端子台４６が開位置Ｐ１に回動され、維持手段により開位置Ｐ１に維持される。この状態で、開位置Ｐ１の端子台４６と把持部材５３とが把持されることにより、電装品モジュール３５が保持される。このとき、作業者等は、把持部材５３の先端側に設けられた貫通孔５３ａ及び開位置Ｐ１の端子台４６の前面側（先端部）に設けられた把持部（貫通孔）４６ｄに指を挿通するようにして当該把持部材５３及び端子台４６を把持する。
【００８６】
このようにして保持された電装品モジュール３５が室外機１１の前面側から機械室４１内に入れられる。具体的に、電装品モジュール３５は、機械室４１における冷媒ジャケット３７の背面側上方位置まで室外機１１の前面側から水平方向に移動させられ（図１１参照）、その位置から伝熱板６０の位置が冷媒ジャケット３７と同じ高さ位置になるまで電装品モジュール３５が降下させられる（図１２参照）。この高さ位置で、電装品モジュール３５は、左端部において仕切り板３９に結合される一方、右端部においてケーシング３０の側板３０ｂに結合され、室外機１１内に固定される。
【００８７】
このように電装品モジュール３５が所定の高さ位置で固定されると、作業者等は、把持していた端子台４６と把持部材５３とを放す。このとき、端子台４６は維持手段によって開位置Ｐ１に維持される。このように端子台４６が開位置Ｐ１に維持されると、前面側から見たときに伝熱板６０の前面側に冷媒ジャケット３７が位置した状態で当該冷媒ジャケット３７が露出する。この状態で、作業者等により冷媒ジャケット３７が伝熱板６０にボルトＢ１（図７参照）でネジ締結される。このように、端子台４６が維持手段によって開位置Ｐ１に維持され冷媒ジャケット３７が露出することで、冷媒ジャケットに対する操作や作業等を作業者等が行い易くなる。
【００８８】
冷媒ジャケット３７が伝熱板６０に固定されると、維持手段を構成している位置固定用凸部１４７と支持部Ｓの前面側端部との係止が解除され、端子台４６が閉位置Ｐ２に向けて回動される。このとき、開位置Ｐ１の端子台４６の先端部（底面部４６ｃ側の端部）を下方に押し下げることにより、端子台４６の右側の側面部４６ｂが外側に撓み、支持部Ｓの前面側端部に係止されていた位置固定用凸部１４７が前記前面側端部から外れ、端子台４６が回動する。このようにして端子台４６が閉位置Ｐ２に回動され、冷媒ジャケット３７が収納空間に収納される（図１３参照）。言い換えると、端子台４６の位置が閉位置Ｐ２となることにより、冷媒ジャケット３７及び伝熱板６０がその前面側を端子台４６によって覆われる。
【００８９】
以上説明したように、本実施形態では、電装品モジュール３５の端子台４６がその位置を開位置Ｐ１と閉位置Ｐ２との間で位置変更可能に構成されるため、パワー素子５６ａの発する熱が伝わり高温となる伝熱板６０を端子台４６が閉位置Ｐ２のときに収納空間を形成するように覆う。そのため、室外機１１のメンテナンスや修理等のために作業者が作業する際に、当該室外機１１に配設された電装品モジュール３５の高温となる部位（伝熱板６０）を触れ難くなり、安全に作業を行うことができる。しかも、端子台４６を開位置Ｐ１に回動させることにより、収納空間が開放されるため、当該電装品モジュール３５が空気調和装置１０の室外機１１に配設されて冷媒ジャケット３７が収納空間内（伝熱板６０の前面側）に位置しても当該冷媒ジャケット３７に対して外部からの作業が可能となる。そのため、冷媒ジャケット３７を伝熱板６０に対して固定又は取り外す際やメンテナンス等の作業が行い易くなる。
【００９０】
また、本実施形態では、回動可能に端子台４６が主部材５１に設けられることにより、端子台４６を回動させるだけで、当該端子台４６の位置の切り換えを容易に行うことができる。
【００９１】
また、本実施形態では、端子台４６が上端部を回転中心にして回動するため、電装品モジュール３５を室外機１１に配設するときに端子台４６を回動させて開位置Ｐ１に移動させることにより、当該電装品モジュール３５を冷媒ジャケット３７の背面側上方から下方に向かって移動させるときに当該端子台４６が邪魔にならない。
【００９２】
また、本実施形態では、端子台４６が閉位置Ｐ２に位置変更したときに、左側面部４６ｂの先端と底面部４６ｃの先端とが主部材５１の主面部５１ａと当接し、右側面部４６ｂの当接部１４６が主部材５１の右側の側面部５１ｂの被当接部１５３と当接することにより、前面部４６ａと主面部５１ａとの間に冷媒ジャケット３７を収納できる間隔が保持される。これにより端子台４６が形成する収納空間内に冷媒ジャケット３７が収納されたときに端子台４６（前面部４６ａ）が冷媒ジャケット３７に当接し、当該冷媒ジャケット３７が損傷することを防止することができる。
【００９３】
また、本実施形態では、端子台４６が保持部材４４（主部材５１）の下部側に取り付けられ、保持部材４４の上端部に把持部材５３が設けられているため、開位置Ｐ１の端子台４６と把持部材５３とを把持することにより、各回路基板４５に実装された電装品５６に触れることなく電装品モジュール３５を保持することができる。しかも、電装品モジュール３５を上下に離れた位置で把持することができるため、当該電装品モジュール３５を安定して保持することができる。その結果、電装品モジュール３５の室外機１１内への取り付けや取り外しの際に、作業が行い易くなると共に作業者等が電装品５６に触れることによる電装品５６の損傷等を防止することができる。
【００９４】
また、本実施形態では、端子台４６に把持部４６ｄが設けられているため、端子台４６が把持し易くなり、電装品モジュール３５をより安定して保持することができる。
【００９５】
また、本実施形態では、把持部材５３上にリアクター５６ｃが載置されているため、保持部材４４に配設される電装品５６のうちで重量の大きなリアクター５６ｃが取り付けられている部位の近傍を把持することができ、これにより上端部にリアクター５６ｃが取り付けられて重心が高くなった電装品モジュール３５を安定して保持することが可能となる。しかも、把持部材５３に貫通孔５３ａが設けられることで、この貫通孔５３ａに指を挿通させて把持することにより当該把持部材５３を確実に把持することができる。
【００９６】
また、本実施形態では、電装品モジュール３５は維持手段を備えているため、端子台４６が開位置Ｐ１に維持される場合には、伝熱板６０への冷媒ジャケット３７の固定又は取り外しやメンテナンス等の作業が行い易くなる一方、端子台４６が閉位置Ｐ２に維持される場合には、当該電装品モジュール３５を室外機１１に配設したときに、当該室外機１１の運転時の振動等によって端子台４６が振動するのを防止することができる。
【００９７】
また、本実施形態では、端子台４６の前面部４６ａに端子接続部ｔが取り付けられることで、端子接続部ｔが保持部材４４の上下又は左右位置に取り付けられるよりも電装品モジュール３５の大きさをコンパクトにすることができる。
【００９８】
また、本実施形態では、冷媒ジャケット３７と電装品モジュール３５とは、当該室外機１１を外側からみたときに、冷媒ジャケット３７が手前側に位置し、その奥側に電装品モジュール３５の保持部材４４が位置するようにそれぞれ配置されている。そのため、当該室外機１１において高温となる伝熱板６０が冷媒ジャケット３７の奥側に位置し、これにより作業者等が高温のパワー素子５６ａに直接触れ難くなり、安全に作業を行うことができる。
【００９９】
また、本実施形態では、端子台４６の底面部４６ｃと右側面部４６ｂとの間に一対の配管１８ｂが通過できる間隔が設けられた状態で、閉位置Ｐ２の端子台４６と主面部５１ａとが伝熱板６０に固定された冷媒ジャケット３７の全体を囲うことにより、室外機１１内での作業中に作業者や工具等が冷媒ジャケット３７に触れ若しくは当接することをより確実に防止することができる。そのため、冷媒ジャケット３７の損傷がより抑制される。
【０１００】
尚、本発明は、前記実施形態に限られるものではなく、その趣旨を逸脱しない範囲で種々変更、改良等が可能である。
【０１０１】
例えば、前記実施形態では、端子台４６が回動することにより開位置Ｐ１と閉位置Ｐ２との間を移動するがこれに限定されず、スライド等により移動してもよい。また、端子台４６は、上端部を回転中心に回動するが、左右いずれか一方の側部を回転中心に回動するように構成されてもよい。このように回動しても、電装品モジュール３５を室外機１１に配設する際に、邪魔にならない。
【０１０２】
また、端子台４６の位置を開位置Ｐ１と閉位置Ｐ２とで維持する維持手段の具体的構成は、限定されない。例えば、前記実施形態では、位置固定用凸部１４７と係合凹部１５２と支持部Ｓの前面側端部とで構成されているが、当該位置固定用凸部１４７の嵌合（係合）する相手（前記実施形態における係合凹部１５２や支持部Ｓの前面側端部）が孔や切欠き等により構成されてもよい。また、維持手段は、端子台４６の位置を開位置Ｐ１又は閉位置Ｐ２の一方の位置で維持するように構成されてもよい。
【０１０３】
また、前記実施形態では、電装品モジュール３５の保持部材４４の手前側に冷媒ジャケット３７が位置するように配置されているが、冷媒ジャケット３７が奥側に位置するように配置されてもよい。
【０１０４】
また、前記実施形態では、端子台４６に設けられた把持部４６ｄは、前面部４６ａに設けられた貫通孔によって構成されているが、これに限定されない。例えば、把持部４６ｄは、端子台４６に取り付けられた取っ手等の把持部材により構成されてもよい。また、把持部４６ｄは、前面部４６ａの先端部に設けられる必要もなく、例えば、底面部４６ｃに設けられてもよい。
【０１０５】
また、前記実施形態では、室外ファン３１が上下に２つ配設された構成であるが、これに限定されず、例えば室外ファン３１を１つ備える構成であってもよい。
【０１０６】
また、前記実施形態では、保持部材４４の前面側と背面側とに分かれて前面側基板５５と背面側基板５４とが配設された構成の回路基板４５を示したが、これに限定されない。例えば、保持部材４４の背面側にのみ回路基板４５が配設されてもよい。また、前記実施形態では、背面側基板５４が上側に配設された第２基板部５４ｂと下側に配設された第１基板部５４ａとに分かれた構成を示したが、一体であってもよい。この場合でも、背面側基板５４の前面における伝熱板６０に対応する位置にパワー素子５６ａが配設されていればよい。
【０１０７】
また、前記実施形態では、冷房運転と暖房運転との双方が可能な空気調和装置としたが、これに限られるものではなく、例えば、冷房運転のみを行う空気調和装置であってもよく、あるいは暖房運転のみを行う空気調和装置であってもよい。
【符号の説明】
【０１０８】
１０   空気調和装置
１１   室外機
１８   冷媒回路
３５   電装品モジュール
３７   冷媒ジャケット（冷却部材）
４４   保持部材（モジュール本体）
４６   端子台（カバー部）
５３   把持部材（板部材）
５３ａ 貫通孔
５６   電装品
５６ａ パワー素子
５６ｃ リアクター
Ｐ１   開位置
Ｐ２   閉位置
【図１】
2010175227.tif 000003
【図２】
2010175227.tif 000004
【図３】
2010175227.tif 000005
【図４】
2010175227.tif 000006
【図５】
2010175227.tif 000007
【図６】
2010175227.tif 000008
【図７】
2010175227.tif 000009
【図８】
2010175227.tif 000010
【図９】
2010175227.tif 000011
【図１０】
2010175227.tif 000012
【図１１】
2010175227.tif 000013
【図１２】
2010175227.tif 000014
【図１３】
2010175227.tif 000015
【図１４】
2010175227.tif 000016
【図１５】
2010175227.tif 000017